(57)【要約】【課題】  個人差に起因する押圧力のばらつきを解消して、幅広く適度の押圧力が得られる指圧イヤリングを提供することを目的とする。【解決手段】  一部が切り欠かれたリング状の本体部１を有するイヤリングにおいて、少なくとも本体部の一方１Ａの端部を球状部２に形成するとともに、略中央部を枢軸３として本体部１を折畳み自在に構成したことを特徴とするもので、不使用時にはコンパクトに折り畳んで嵩を小さくできることはもとより、球状部２が耳のつぼに広く対応して、指圧機能を発揮させることができる上に、本体部１が枢軸部３にて折り畳まれることで、ばね付勢構成を採用した場合には、広い角度範囲にて耳たぶや耳輪の厚さに対応させることができる。【選択図】  図１
2005040466.tif 000002
【特許請求の範囲】
【請求項１】
一部が切り欠かれたリング状の本体部を有するイヤリングにおいて、少なくとも本体部の一方の端部を球状に形成するとともに、略中央部を枢軸として本体部を折畳み自在に構成したことを特徴とするイヤリング。
【請求項２】
前記本体部が弾性部材から構成されたことを特徴とする請求項１に記載のイヤリング。
【請求項３】
前記枢軸が、本体部を折畳み方向に付勢するばね部材から構成されたことを特徴とする請求項１または２に記載のイヤリング。
【請求項４】
前記枢軸の近傍に、本体部を折畳み方向に付勢するばね部材を添設したことを特徴とする請求項１または２に記載のイヤリング。
【発明の詳細な説明】
【技術分野】
【０００１】
本発明は、一部が切り欠かれたリング状の本体部を有するイヤリングに関する。特に、耳のつぼを押圧・刺激して、肩こりを始めとする種々の身体的な諸症状を和らげることが可能な、指圧リングとしてのイヤリングを提供する。
【背景技術】
【０００２】
東洋医学では身体の多くの部位に存在するいわゆる「つぼ」を鍼や灸あるいは指圧にて刺激することで、種々の身体的な諸症状が和らぐことが知られている。特に、耳のつぼには、肩こり、高血圧、低血圧、手足の冷え、痩身等に効果があることが知られている。そのようなことから、突起物付きイヤリングが提案された（例えば下記特許文献１参照）。  
【特許文献１】実用新案登録第３０２７５４８号（図１）
【発明の開示】
【発明が解決しようとする課題】
【０００３】
前記特許文献に開示された考案、突起物付きイヤリングは、図４に示すように、イヤリング１０１に突起物１０２を設け、耳輪をすべらすように付けることで、左右の片側の耳の内側に突起物１０２が触れるようにして、刺激を与えることができるようにしたものである。このような構成によって、肩こりを始めとする種々の身体的な諸症状が和らげられた。
【０００４】
ところが、前記突起物付きイヤリング１０１では、剛性の高いリング状物を耳輪に沿ってすべらせて装着して、主として耳輪を刺激するものであった。そのため、耳輪の厚さに個人差があって、最適の押圧力が得られる訳ではなかった。
【０００５】
そこで、本発明では、前記従来の突起物付きイヤリングの課題を解決して、個人差に起因する押圧力のばらつきを解消して、幅広く適度の押圧力が得られる指圧イヤリングを提供することを目的とする。
【課題を解決するための手段】
【０００６】
そのため、本発明は、一部が切り欠かれたリング状の本体部を有するイヤリングにおいて、少なくとも本体部の一方の端部を球状部に形成するとともに、略中央部を枢軸として本体部を折畳み自在に構成したことを特徴とする。また本発明は、前記本体部が弾性部材から構成されたことを特徴とする。また本発明は、前記枢軸が、本体部を折畳み方向に付勢するばね部材から構成されたことを特徴とする。また本発明は、前記枢軸の近傍に、本体部を折畳み方向に付勢するばね部材を添設したことを特徴とするもので、これらを課題解決のための手段とするものである。
【発明の効果】
【０００７】
本発明では、一部が切り欠かれたリング状の本体部を有するイヤリングにおいて、少なくとも本体部の一方の端部を球状部に形成するとともに、略中央部を枢軸として本体部を折畳み自在に構成したことにより、リング状の本体部１を小さく折り畳めて、不使用時の嵩を小さくできることはもとより、球状部が耳のつぼに広く対応して、指圧機能を発揮させることができる上に、本体部が枢軸部にて折り畳まれることで、ばね付勢構成を採用した場合には、広い角度範囲にて耳たぶや耳輪の厚さに対応させることができる。
【０００８】
また、前記本体部が弾性部材から構成された場合は、本体部自身の弾性に基づく押圧力を付加させて、指圧効果をより高めることが可能となる。さらに、前記枢軸が、本体部を折畳み方向に付勢するばね部材から構成された場合は、コイルばね等の採用により、格別の枢軸等を設けなくても、復元力を有するばねで枢軸を兼用することが可能となり、ばねの復元力にて適度の指圧効果を発揮させることができる。
【０００９】
さらにまた、前記枢軸の近傍に、本体部を折畳み方向に付勢するばね部材を添設した場合は、枢軸自体を汎用のものを使用しても、枢軸とは別途に設けた復元力を有するばねを添設・設置して、本体部を折畳み方向に付勢することで、適度の指圧効果を発揮させることができる。
【発明を実施するための最良の形態】
【００１０】
図１は本発明のイヤリングの第１実施例を示す全体斜視図である。本発明の基本的な構成は、図１に示すように、一部が切り欠かれたリング状の本体部１を有するイヤリングにおいて、少なくとも本体部１の一方１Ａの端部を球状部２に形成するとともに、略中央部を枢軸３として本体部１を折畳み自在に構成したことを特徴とする。
【実施例１】
【００１１】
以下に詳述する。図１に示すように、間隙６にて一部が切り欠かれたリング状の本体部１が、半円弧状の一方１Ａと半円弧状の他方１Ｂとが枢軸３によって、折畳み自在に構成されている。折畳み自在に構成されていることによって、リング状の本体部１を小さく折り畳めて、不使用時の嵩を小さくできる。本体部１は剛性のある素材であってもよいが、好適には弾性材から構成されるとよい。弾性材から構成された場合には、間隙６が耳たぶや耳輪を挟んで押圧した場合に、本体部自身の弾性を付加して、指圧効果を高めることができる。半円弧状の一方１Ａの端部には球状部２が形成されていて、スポット接触による高い面圧にて、耳のつぼへの的確な鍼灸の隠しバリの効能と同様の指圧効果が得られる。球状部２は半円弧の他方１Ｂにも形成することができる。
【実施例２】
【００１２】
図２は本発明のイヤリングの第２実施例を示す全体斜視図である。本実施例では、枢軸４が、本体部１を折畳み方向に付勢するばね部材から構成されたことを特徴とする。つまり、コイルばね４を折畳み方向に付勢して枢軸として兼用するものである。したがって、間隙６を充分活用できるので、広い角度範囲にて耳たぶや耳輪の厚さに対応させることができる。つまり、耳たぶや耳輪の厚さが薄い個体の場合にも、コイルばね４等の付勢力により、充分な指圧力を加えることができる。このことは本体部１が剛性の素材による場合はもとより、弾性材の場合にも高い押圧力を得て指圧効果を発揮させることができる。
【実施例３】
【００１３】
図３は本発明のイヤリングの第３実施例を示す全体斜視図である。本実施例では、前記枢軸３の近傍に、本体部１を折畳み方向に付勢する板状のばね部材５を添設した。この場合は、枢軸３自体は汎用のものを使用しても、枢軸３とは別途に設けた復元力を有するばね５を本体部１の各半分１Ａ、１Ｂに渡って添設・設置して、本体部を折畳み方向に付勢することで、適度の指圧効果を発揮させることができる。板状のばね部材５を背面に添設する代わりに、引っ張りばねを枢軸３よりも内側に配設することで、折畳み方向に付勢することも可能である。
【００１４】
このように、本発明のイヤリングを、食事前、食事後、朝、昼、夕食等にて使用方法を変化させることにより異なった効果・効能が得られる。また、本体部１にトルマリン等を付加した場合には、天然鉱物で微弱な電気とマイナスイオンを発生させることで細胞の活性化が引き起こされ、自己治癒力を引き出して、耳つぼの刺激で血行を促進させることができる。また、イヤリング本体部にやや厚みのあるベルト状のリング部材を嵌合して、適宜位置に固定することにより、イヤリングが耳たぶ等に対して盲動することが防止でき、指圧効果を確実にすることもできる。
【００１５】
以上、本発明の実施例について説明してきたが、本発明の趣旨の範囲内にて、リング状の本体部の形状（断面形状は円形を好適とするが、角形や多角形、楕円形等適宜の形状が採用され得る）、材質（金属、プラスチック、木、竹等）、球状部の形状（球形の他、楕円形等）、曲率（本体部より大きな球状部とする他、指圧効果を発揮できる本体部に比較して小さな半径の大曲率としてもよい）、枢軸の形状、形式（通常の蝶番の他、本体部自体の薄肉部を枢軸としてもよい。コイルばね等の枢軸自体にばね付勢機能を有する適宜の形式が採用され得る）、材質およびその配設位置（接着、キャップ状部材を介した本体部への固着等）、ばね部材の形状（板状体の他、針金状等）、形式、材質およびその添設形態（背面への添設の他、本体部の枢軸部における対向面へのばね部材の埋設、枢軸より内側への引っ張りばねの張設、あるいは折畳み時に内側となる位置に枢軸を配置し、分割本体部の端部の対向面間に圧縮ばねを介設してもよい）等については適宜選定することができる。
【図面の簡単な説明】
【００１６】
【図１】本発明のイヤリングの第１実施例を示す全体斜視図である。
【図２】本発明のイヤリングの第２実施例を示す全体斜視図である。
【図３】本発明のイヤリングの第３実施例を示す全体斜視図である。
【図４】従来の突起物付きイヤリングの全体斜視図である。
【符号の説明】
【００１７】
１        イヤリング本体部
１Ａ        本体部の一方
１Ｂ        本体部の他方
２        球状部
３        枢軸
４        枢軸（コイルばね）
５        ばね部材
６        間隙
【図１】
2005040466.tif 000003
【図２】
2005040466.tif 000004
【図３】
2005040466.tif 000005
【図４】
2005040466.tif 000006